(57)【要約】【課題】  インフラストラクチャ方式の無線通信において、ステーション間の競争を低減し、時間当たりの転送量を高める装置及び方法を提供すること。【解決手段】  本発明によるＤＬＰステーションは、新しいチャンネル番号をＤＬＰ要求フレームに記録することにより、チャンネルを切り換えるチャンネル切換モジュールと、新しいモード番号をＤＬＰ要求フレームに記録することにより、ＤＬＰモードを切り換えるモード切換モジュールと、ＤＬＰ要求フレームを含む各種ＭＡＣフレームを生成するＭＡＣフレーム生成モジュールとで構成される。本発明によるＤＬＰとマルチ-チャンネルを使用して転送効率を高める方法は、改善された４ハンドシェイク過程を実行するステップ１と、前記過程で決定されたＤＬＰチャンネルモードとチャンネル番号によって該当モードを実行するステップ２とで構成される。【選択図】      図６
2005020705.tif 000002
【特許請求の範囲】
【請求項１】
新しいチャンネル番号をＤＬＰ(Direct Link Protocol)要求フレームに記録することにより、チャンネルを切り換えるチャンネル切換モジュールと、
新しいモード番号を前記ＤＬＰ要求フレームに記録することにより、ＤＬＰモードを切り換えるモード切換モジュールと、
前記ＤＬＰ要求フレームを含む各種ＭＡＣ(Media Access Control)フレームを生成するＭＡＣフレーム生成モジュールとを備えることを特徴とするＤＬＰステーション。
【請求項２】
前記ＭＡＣフレーム生成モジュールが生成した各種フレームを送信し、他のステーションやアクセスポイント(Access Point)からフレームを受信するＭＡＣフレーム送受信モジュールをさらに備えることを特徴とする請求項１に記載のＤＬＰステーション。
【請求項３】
前記ＭＡＣフレーム生成モジュールは、
前記ＤＬＰ要求フレームを生成するＤＬＰ要求フレーム生成モジュールと、
前記ＤＬＰ要求フレームに対する応答であるＤＬＰ応答フレームを生成するＤＬＰ応答フレーム生成モジュールと、
前記他のステーションに送信すべきデータを格納しているＭＡＣフレームを生成するＭＡＣデータフレーム生成モジュールとを備えることを特徴とする請求項２に記載のＤＬＰステーション。
【請求項４】
前記ＭＡＣフレーム生成モジュールは、
前記他のステーションにＤＬＰを開始しチャンネルモードによって他のチャンネルを使用することを知らせるＤＬＰ開始フレームを生成するＤＬＰ開始フレーム生成モジュールと、
前記他のステーションにＤＬＰを終了することを知らせるＤＬＰ終了フレームを生成するＤＬＰ終了フレーム生成モジュールとをさらに備えることを特徴とする請求項３に記載のＤＬＰステーション。
【請求項５】
周期的なチャンネル状況の分析により利用可能なチャンネルのリストを管理し分配するチャンネルリスト管理モジュールと、
前記チャンネルリストから利用可能なＤＬＰチャンネルがあるか否かを確認した後、ＤＬＰ要求フレームに前記チャンネルを記録するチャンネル番号記録モジュールと、
スリーピングステーションに送るべきフレームがある場合、これをバッファリングし管理するポイントコーディネイタモジュールとを備えることを特徴とするアクセスポイント。
【請求項６】
受信したＤＬＰ要求フレーム又はＤＬＰ応答フレームを他のステーションに再転送するＭＡＣフレーム送受信モジュールをさらに備えることを特徴とする請求項５に記載のアクセスポイント。
【請求項７】
複数のＤＬＰステーション及びアクセスポイントを含み、
前記複数の各ＤＬＰステーションは、
新しいチャンネル番号をＤＬＰ要求フレームに記録することにより、チャンネルを切り換えるチャンネル切換モジュールと、
新しいモード番号を前記ＤＬＰ要求フレームに記録することにより、ＤＬＰモードを切り換えるモード切換モジュールと、
前記ＤＬＰ要求フレームを含む各種ＭＡＣフレームを生成するＭＡＣフレーム生成モジュールとを備えることを特徴とするＤＬＰとマルチ-チャンネルを使用して転送効率を高める無線ネットワークシステム。
【請求項８】
前記ＤＬＰステーションは、
前記ＭＡＣフレーム生成モジュールが生成した各種フレームを送信し、他のステーションやＡＰからフレームを受信するＭＡＣフレーム送受信モジュールをさらに備えることを特徴とする請求項７に記載のＤＬＰとマルチ-チャンネルを使用して転送効率を高める無線ネットワークシステム。
【請求項９】
前記ＭＡＣフレーム生成モジュールは、
前記ＤＬＰ要求フレームを生成するＤＬＰ要求フレーム生成モジュールと、
前記ＤＬＰ要求フレームに対する応答であるＤＬＰ応答フレームを生成するＤＬＰ応答フレーム生成モジュールと、
前記ＤＬＰステーションに送信すべきデータを格納しているＭＡＣフレームを生成するＭＡＣデータフレーム生成モジュールとを備えることを特徴とする請求項８に記載のＤＬＰとマルチ-チャンネルを使用して転送効率を高める無線ネットワークシステム。
【請求項１０】
前記ＭＡＣフレーム生成モジュールは、
前記ＤＬＰステーションにＤＬＰを開始しチャンネルモードによって他のチャンネルを使用することを知らせるＤＬＰ開始フレームを生成するＤＬＰ開始フレーム生成モジュールと、
前記ＤＬＰステーションにＤＬＰを終了することを知らせるＤＬＰ終了フレームを生成するＤＬＰ終了フレーム生成モジュールとをさらに備えることを特徴とする請求項９に記載のＤＬＰとマルチ-チャンネルを使用して転送効率を高める無線ネットワークシステム。
【請求項１１】
前記アクセスポイントは、
周期的なチャンネル状況の分析により利用可能なチャンネルのリストを管理し分配するチャンネルリスト管理モジュールと、
前記チャンネルリストから利用可能なＤＬＰチャンネルがあるか否かを確認した後、ＤＬＰ要求フレームに前記チャンネルを記録するチャンネル番号記録モジュールと、
スリーピングステーションに送るべきフレームがある場合、これをバッファリングし管理するポイントコーディネイタモジュールとを備えることを特徴とする請求項７に記載のＤＬＰとマルチ-チャンネルを使用して転送効率を高める無線ネットワークシステム。
【請求項１２】
前記アクセスポイントは、受信したＤＬＰ要求フレーム又はＤＬＰ応答フレームを他のステーションに再転送するＭＡＣフレーム送受信モジュールをさらに備えることを特徴とする請求項１１に記載のＤＬＰとマルチ-チャンネルを使用して転送効率を高める無線ネットワークシステム。
【請求項１３】
改善された４ハンドシェイク過程を実行するステップ１と、
前記過程で決定されたＤＬＰチャンネルモードとチャンネル番号によって該当モードを実行するステップ２とを含み、
前記ステップ１は、
送信ステーションがＤＬＰ要求フレームをアクセスポイントに送信するステップと、
前記アクセスポイントが利用可能なチャンネル番号を前記ＤＬＰ要求フレームに記録するステップと、
前記アクセスポイントが前記要求フレームを受信ステーションにフォーワーディングするステップと、
前記受信ステーションが前記ＡＰにＤＬＰ応答フレームを送信するステップと、
前記アクセスポイントが前記送信ステーションに前記ＤＬＰ応答フレームをフォーワーディングするステップとを含むことを特徴とするＤＬＰとマルチ-チャンネルを使用して転送効率を高める方法。
【請求項１４】
前記ＤＬＰモードがモード１である場合、前記ステップ２は、
（ａ）全体ステーション間でチャンネル獲得のために競争を行うステップと、
（ｂ）チャンネル競争に勝った送信ステーションが受信ステーションにデータを送信するステップとを備えることを特徴とする請求項１３に記載のＤＬＰとマルチ-チャンネルを使用して転送効率を高める方法。
【請求項１５】
前記ＤＬＰモードがモード２である場合、前記ステップ２は、
（ａ）全体ステーションがチャンネル獲得のために競争を行うステップと、
（ｂ）ＤＬＰステーションがチャンネル競争に勝ったか否かを判断するステップと、
（ｃ）前記判断の結果、前記ＤＬＰステーションがチャンネル競争に勝った場合には、受信ステーションがＤＬＰステーションであるか否かを判断するステップと、
（ｄ）前記ステップ（ｂ）、（ｃ）での判断の結果によって、該当データ送受信過程を実行するステップとを含むことを特徴とする請求項１３に記載のＤＬＰとマルチ-チャンネルを使用して転送効率を高める方法。
【請求項１６】
前記ステップ（ｂ）での判断の結果、前記ＤＬＰステーションがチャンネル競争に負けた場合、前記ステップ（ｄ）は、
（ｄ１）前記チャンネル競争に勝った送信ステーションが受信ステーションにデータを送信するステップと、
（ｄ２）前記データを送信する期間の間、ＤＬＰステーション間でＤＬＰチャンネルを用いてデータを送受信するステップとを含むことを特徴とする請求項１５に記載のＤＬＰとマルチ-チャンネルを使用して転送効率を高める方法。
【請求項１７】
前記ステップ（ｄ）は、
前記ステップ（ｄ１）とステップ（ｄ２）との間に、前記チャンネル競争に勝った送信ステーションが前記受信ステーションにＲＴＳフレームを送信するステップと、
残りのステーションがＮＡＶを設定するステップと、
前記受信ステーションがＣＴＳフレームを送信するステップとをさらに含み、
ステップ（ｄ２）後に、前記受信ステーションがＡＣＫフレームを送信するステップをさらに含むことを特徴とする請求項１６に記載のＤＬＰとマルチ-チャンネルを使用して転送効率を高める方法。
【請求項１８】
前記ステップ（ｂ）、（ｃ）での判断の結果、前記ＤＬＰステーションがチャンネル競争に勝ち、前記受信ステーションがＤＬＰステーションである場合、前記ステップ（ｄ）は、
（ｄ１）ＤＬＰ開始フレームをブロードキャストするステップと、
（ｄ２）残りのステーションはＤＬＰ ＮＡＶを設定するステップと、
（ｄ３）ＤＬＰステーション間でＤＬＰチャンネルを用いてデータを送受信するステップと、
（ｄ４）前記データを送受信する期間の間、残りのステーション間でデータを送受信するステップとを含むことを特徴とする請求項１５に記載のＤＬＰとマルチ-チャンネルを使用して転送効率を高める方法。
【請求項１９】
前記ステップ（ｂ）、（ｃ）での判断の結果、前記ＤＬＰステーションがチャンネル競争に勝ち、前記受信ステーションがＤＬＰステーションでない場合、前記ステップ（ｄ）は、
（ｄ１）残りのステーション間でチャンネル獲得のために競争を行うステップと、
（ｄ２）前記チャンネル競争に勝った送信ステーションが受信ステーションにデータを送信するステップとをさらに含むことを特徴とする請求項１５に記載のＤＬＰとマルチ-チャンネルを使用して転送効率を高める方法。
【請求項２０】
前記ステップ（ｄ）は、
前記ステップ（ｄ１）とステップ（ｄ２）との間に、前記チャンネル競争に勝った送信ステーションが受信ステーションにＲＴＳフレームを送信するステップと、
残りのステーションがＮＡＶを設定するステップと、
前記受信ステーションがＣＴＳフレームを送信するステップとをさらに含み、
ステップ（ｄ２）後に、前記受信ステーションがＡＣＫフレームを送信するステップをさらに含むことを特徴とする請求項１９に記載のＤＬＰとマルチ-チャンネルを使用して転送効率を高める方法。
【請求項２１】
前記ＤＬＰモードがモード３である場合、前記ステップ２は、
ＤＬＰ送信ステーションがＤＬＰ開始フレームをブロードキャストするステップと、
前記ＤＬＰ送信ステーションがＤＬＰチャンネルを用いてＤＬＰ要求フレームに現れた持続期間の間、ＤＬＰ受信ステーションにデータを送信するステップと、
前記持続期間の間、残りのステーション間でデータを送受信するステップと、
前記持続期間の経過後に前記送信ステーションがＤＬＰ終了フレームをブロードキャストするステップとを含むことを特徴とする請求項１３に記載のＤＬＰとマルチ-チャンネルを使用して転送効率を高める方法。
【請求項２２】
前記残りのステーション間でデータを送受信するステップは、
（ａ）前記残りのステーション間でチャンネル獲得のために競争を行うステップと、
（ｂ）チャンネル競争に勝った送信ステーションが受信ステーションにデータを送信するステップとを含むことを特徴とする請求項２１に記載のＤＬＰとマルチ-チャンネルを使用して転送効率を高める方法。
【請求項２３】
前記残りのステーション間でデータを送受信するステップは、
前記ステップ（ａ）とステップ（ｂ）との間に、前記チャンネル競争に勝った送信ステーションが受信ステーションにＲＴＳフレームを送信するステップと、
残りのステーションがＮＡＶを設定するステップと、
前記受信ステーションがＣＴＳフレームを送信するステップとをさらに含み、
ステップ（ｂ）後に、前記受信ステーションがＡＣＫフレームを送信するステップをさらに含むことを特徴とする請求項２２に記載のＤＬＰとマルチ-チャンネルを使用して転送効率を高める方法。
【請求項２４】
インフラストラクチャモードでアクセスポイントを用いた無線ネットワーク通信方法において、
ＤＣＦ区間で所定のステーションがチャンネル獲得のために競争を行うステップと、
前記競争に勝ったステーションがＤＬＰ通信を希望するステーションである場合には、所定のチャンネルリストのうち利用可能な一つのチャンネルを前記ＤＬＰ通信のために割り当てるステップと、
前記ＤＬＰチャンネルが割り当てられたＤＬＰステーション以外の所定のステーションが主チャンネルを介して競争を行うステップとを含むことを特徴とするアクセスポイントを用いた無線ネットワーク通信方法。
【請求項２５】
インフラストラクチャモードでアクセスポイントを用いた無線ネットワーク通信方法において、
ＤＣＦ区間で所定のステーションがチャンネル獲得のために競争を行うステップと、
前記競争に勝ったステーションがＤＬＰ通信を希望するステーションである場合には、所定のチャンネルリストのうち利用可能な一つのチャンネルを前記ＤＬＰ通信のために割り当てるステップと、
前記ＤＬＰチャンネルが割り当てられたＤＬＰステーションの通信時間であるＮＡＶ値を設定するステップと、
前記ＮＡＶ値の経過後、ＤＬＰステーションと所定のステーションが主チャンネルを介してさらに競争を行うステップとを含むことを特徴とするアクセスポイントを用いた無線ネットワーク通信方法。
【請求項２６】
インフラストラクチャモードでアクセスポイントを用いた無線ネットワーク通信方法において、
ＤＬＰ通信を希望するステーションに所定のチャンネルリストのうち利用可能な一つのチャンネルを前記ＤＬＰ通信のために割り当てるステップと、
前記ＤＬＰチャンネルが割り当てられたＤＬＰステーション以外のステーションが主チャンネルを介して競争を行うステップと、
前記ＤＬＰチャンネルが割り当てられたステーション間の通信が終了すれば、前記ＤＬＰチャンネルが割り当てられたステーション以外のステーションにＤＬＰ通信の終了を知らせるステップと、
前記終了を知らせた後、ＤＬＰステーションと所定のステーションが主チャンネルを介してさらに競争を行うステップとを含むことを特徴とするアクセスポイントを用いた無線ネットワーク通信方法。
【発明の詳細な説明】
【技術分野】
【０００１】
本発明は、ＤＣＦを用いる無線ＬＡＮにおける時間当たりの転送量を高める装置及び方法に関する。より詳しくは、インフラストラクチャ(Infrastructure)方式の無線接続においてＤＬＰとマルチ-チャンネルを用いるための新しいＭＡＣフレームフォーマットを提案し、これを用いてステーション間の競争を低減し、時間当たりの転送量を高める装置及び方法に関する。  
【背景技術】
【０００２】
近年、ネットワークの無線化が進み、大容量のマルチメディアデータの転送要求の増大に伴って、無線ＬＡＮでの効果的な転送方式に関する研究が要求されている。多様なマルチメディアデータを転送するために、大きく２つの方法で無線ＬＡＮの性能を向上させることができる。第一に、単一のチャンネルを複数のステーションが共有する現在の無線ＬＡＮ方式において、より効果的な方法により、所定の時間内にデータを転送するためにＭＡＣレベルのＱｏＳ(Quality of Service)を保障する方法である。現在、ＩＥＥＥ８０２．１１ｅグループでは、ＱｏＳ向上のための規格を単一化するために努力している。第二に、ステーションがＢＳＳ(Basic Service Set)で単一のチャンネルでなくマルチチャンネルを用いて物理的なチャンネルを確保することにより、帯域幅を増加させる方法がある。
【０００３】
従来の無線ＬＡＮでの転送方式は、一つのチャンネルを複数のステーションが共有して転送するＣＳＭＡ／ＣＡ(Carrier Sense Multiple Access with Collision Avoidance)プロトコルを用いる。検索(Scan)及び参加(Join)過程後に、ＢＳＳが成立すれば、各ステーションは、ＳＳＩＤ(Service Set Identifier)及びＢＳＳＩＤ(Basic Service Set Identifier)を用いてステーション間で通信を行う場合、同じＢＳＳに参加したステーションであるか否かを確認する。フレームを転送する時は、ＣＳＭＡ／ＣＡによって２つの方式でチャンネルが遊休状態(IDLE)であることを確認した後、転送する。チャンネル状況を確認する方法には、物理的に使用するチャンネルのＲＳＳＩ(Received Signal Strength Indication)値を確認し、チャンネルが使用中であるか遊休状態であるか(BUSY or IDLE)を判断する方法がある。また、仮想搬送波感知(Virtual Carrier Sensing)方法として、ＮＡＶ(Network Allocation Vector)を用いて各ステーションのチャンネル使用時期を判断する方法がある。このように、ＣＳＭＡ／ＣＡ競争方式は、一つのチャンネルを共有して使用するため、物理搬送波感知(Physical Carrier Sensing)(CCA Indication)または仮想搬送波感知(Virtual Carrier Sensing)(ＮＡＶ)でチャンネル状況を判断し、衝突を回避する。
【０００４】
図１に示すように、送信ステーションＳＴＡＩ２１０は、データの転送前にＲＴＳフレーム２１１を送り、同じＢＳＳに存在する受信ステーションＳＴＡＩＩ２２０がデータ２１２を受けることができるか否かを確認する。ＳＴＡＩＩ２２０は、フレームを受けることができるので、データ２１２を送ってもよいというコントロールフレームであるＣＴＳ(Clear to Send)フレーム２２１を送る。その後、ＳＴＡＩ２１０は、データを送る。このような過程で、同じＢＳＳに存在するＳＴＡＩ２１０、ＳＴＡＩＩ２２０を除いた他のステーションＳＴＡＩＩＩ２３０は、ＮＡＶをセットし、ＮＡＶ期間２３１、２３２では、チャンネルが使用中(BUSY)と見なし、転送をしない。
【０００５】
一つのチャンネルを共有しなければならないＣＳＭＡ／ＣＡプロトコルでは、帯域幅の限界を超えるために、所定の時間内に転送を保障するための、すなわちＱｏＳを向上させるための研究がなされている。ＢＳＳに含まれたステーション中でＰ２Ｐ(Point-to-Point)通信が必要な場合に、ＤＬＰ(Direct Link Protocol)が使用される。このようなＤＬＰは、一つのチャンネルを共有しながら生成する問題点を克服し、ＱｏＳを向上させるために、８０２．１１ｅで提案したプロトコルである。ＤＬＰを使用すれば、ＡＰを経ることなく、直接転送できるため、伝搬遅延(Propagation Delay)を小さくすることができ、転送時間(Transmission Time)の総回数を低減することができる。また、ＡＰでのＭＡＣ処理時間(Processing Time)を使用しないので、ＤＬＰの使用は、所定の時間内により多いデータを転送できるという長所がある。
【０００６】
図２に示されたようなＤＬＰ構成図によってＤＬＰをセットアップする過程は、次の通りである。先ず、ＤＬＰ要求器(DLP Requester)であるＱＳＴＡＩ２１０は、ＡＰ(Access Point)２5０にＤＬＰ要求フレーム(DLP Request Frame)を送る（図２の１ａ）。このＤＬＰ要求フレームには、転送すべきデータ速度(rate)とステーションの容量情報(capability)などが含まれる。次に、ＡＰは、単純にＤＬＰ要求フレームを受信ステーションであるＱＳＴＡＩＩ２2０に再転送する（図２の１ｂ）。ＱＳＴＡＩＩ２2０は、ＡＰ２5０から転送されたＤＬＰ要求を確認した後、直接リンク(Direct Link)２４０に参加するか否かに関する情報を格納したＤＬＰ応答フレーム(DLP Response Frame)をＡＰ２5０に送る（図２の２ａ）。ＤＬＰ応答フレームには、ＤＬＰ要求に対する結果を知らせる状態コード(Status Code)、転送すべきデータ速度、及びステーションの容量情報などが含まれる。最後に、ＡＰ２5０は、単純にＤＬＰ応答フレームをＱＳＴＡＩ２１０に再転送する（図２の２ｂ）。このような４つの過程を直接リンクプロトコルの４ハンドシェイク(Four Hand shake)過程と呼ぶ。参考として、従来技術による前記ＤＬＰ要求フレーム、ＤＬＰ応答フレームの構成は、図３に示すようである。
【０００７】
従来、一つのチャンネルを複数のステーションが共有する技術は、一つのチャンネルの最大転送速度（例えば、８０２．１１ａの場合には５４Ｍｂｐｓ）をどのように多くのステーションが共有するかが重要な争点である。与えられた時間内にデータを転送するために、ＱｏＳ側面で多くのＭＡＣアルゴリズムが開発されている。ＤＬＰもそれらのうち一つの方法であり、ＤＬＰのセットアップ後にＰ２Ｐ通信をしなければならない状況において、ＡＰを経ることなく直接に直接リンクに転送する方法である。しかしながら、ＤＬＰを使用しても、ＢＳＳに多くのステーションが存在し、競争が増加すれば、直接リンクの長所を活用するのは難しい。従って、無線ＬＡＮ上に複数のステーションが存在する場合、ＤＬＰの長所を生かしながら效率的に通信できる方法を講ずる必要がある。
【発明の開示】
【発明が解決しようとする課題】
【０００８】
本発明は、上記問題点に鑑みなされたものであり、インフラストラクチャモードでＰ２Ｐ転送時に、ＡＰを経ることなく独立したチャンネルのＤＬＰを用いて時間当たりの転送量を高め、競争(Contention)が最も少ない環境で無線ＬＡＮの最大転送効率(Throughput)を得る装置及び方法を提供することを目的とする。
また、本発明は、インフラストラクチャモードで無線モバイル環境での既存のＣＳＭＡ／ＣＡベースのＤＣＦ(Distributed Coordination Function)を用いるステーションとの互換性を保ちつつ、無線通信状況に合う多様なモードに切り換えできるようにして、ステーション間の競争を低減することができる装置及び方法を提供することを他の目的とする。
【課題を解決するための手段】
【０００９】
本発明によるＤＬＰステーションは、新しいチャンネル番号をＤＬＰ要求フレームに記録することによりチャンネルを切り換えるチャンネル切換モジュールと、新しいモード番号を前記ＤＬＰ要求フレームに記録することにより、ＤＬＰモードを切り換えるモード切換モジュールと、前記ＤＬＰ要求フレームを含む各種ＭＡＣ(Media Access Control)フレームを生成するＭＡＣフレーム生成モジュールとを備えることを特徴とする。
【００１０】
本発明によるアクセスポイントは、周期的なチャンネル状況の分析により利用可能なチャンネルのリストを管理し分配するチャンネルリスト管理モジュールと、前記チャンネルリストから利用可能なＤＬＰチャンネルがあるか否かを確認した後、ＤＬＰ要求フレームに前記チャンネルを記録するチャンネル番号記録モジュールと、スリーピングステーションに送るべきフレームがある場合、これをバッファリングし管理するポイントコーディネイタモジュールとを備えることを特徴とする。
【００１１】
本発明による無線ネットワークシステムは、複数のＤＬＰステーション及びアクセスポイントを備え、前記複数のＤＬＰステーションは、新しいチャンネル番号をＤＬＰ要求フレームに記録することにより、チャンネルを切り換えるチャンネル切換モジュールと、新しいモード番号を前記ＤＬＰ要求フレームに記録することにより、ＤＬＰモードを切り換えるモード切換モジュールと、前記ＤＬＰ要求フレームを含む各種ＭＡＣフレームを生成するＭＡＣフレーム生成モジュールとを備えることを特徴とする。
【００１２】
本発明によるＤＬＰとマルチ-チャンネルを使用して転送効率を高める方法は、改善された４ハンドシェイク過程を実行するステップ１と、前記過程で決定されたＤＬＰチャンネルモードとチャンネル番号によって該当モードを実行するステップ２とを含み、前記ステップ１は、送信ステーションがＤＬＰ要求フレームをＡＰに送信するステップと、ＡＰが利用可能なチャンネル番号を前記ＤＬＰ要求フレームに記録するステップと、前記ＡＰが前記要求フレームを受信ステーションにフォーワーディングするステップと、前記受信ステーションが前記ＡＰにＤＬＰ応答フレームを送信するステップと、前記ＡＰが前記送信ステーションに前記ＤＬＰ応答フレームをフォーワーディングするステップとを含むことを特徴とする。
【００１３】
本発明によるインフラストラクチャモードでのアクセスポイントを用いた無線ネットワーク通信方法は、ＤＣＦ区間で所定のステーションがチャンネル獲得のために競争を行うステップと、前記競争の結果、勝ったステーションがＤＬＰ通信を希望するステーションである場合には、所定のチャンネルリストのうち利用可能な一つのチャンネルを前記ＤＬＰ通信のために割り当てるステップと、前記ＤＬＰチャンネルが割り当てられたＤＬＰステーション以外の所定のステーションが主チャンネルを介して競争を行うステップとを含むことを特徴とする。
【００１４】
本発明によるインフラストラクチャモードでのアクセスポイントを用いた無線ネットワーク通信方法は、ＤＣＦ区間で所定のステーションがチャンネル獲得のために競争を行うステップと、前記競争の結果、勝ったステーションがＤＬＰ通信を希望するステーションである場合には、所定のチャンネルリストのうち利用可能な一つのチャンネルを前記ＤＬＰ通信のために割り当てるステップと、前記ＤＬＰチャンネルが割り当てられたＤＬＰステーションの通信時間であるＮＡＶ値を設定するステップと、前記ＮＡＶ値の経過後、ＤＬＰステーションと所定のステーションが主チャンネルを介してさらに競争を行うステップとを含むことを特徴とする。
【００１５】
本発明によるインフラストラクチャモードでのアクセスポイントを用いた無線ネットワーク通信方法は、ＤＬＰ通信を希望するステーションに所定のチャンネルリストのうち利用可能な一つのチャンネルを前記ＤＬＰ通信のために割り当てるステップと、前記ＤＬＰチャンネルが割り当てられたＤＬＰステーション以外のステーションが主チャンネルを介して競争を行うステップと、前記ＤＬＰチャンネルが割り当てられたステーション間の通信が終了すれば、前記ＤＬＰチャンネルが割り当てられたステーション以外のステーションにＤＬＰ通信の終了を知らせるステップと、前記終了を知らせた後に、ＤＬＰステーションと所定のステーションが主チャンネルを介してさらに競争を行うステップとを含むことを特徴とする。
【発明の効果】
【００１６】
本発明によれば、伝達しようとする媒体によってＤＬＰステーションに対するＤＬＰモードを決定することにより、ＤＬＰステーションのＱｏＳを保障すると共に、ＤＬＰを作動しないステーション側でもＢＳＳでのチャンネル競争が低減するため、全体的な転送効率を向上させるという効果を有する。
また、本発明によれば、無線モバイル環境において、既存のＤＣＦを用いるステーションとの互換性を維持し、多様なマルチメディアデータの転送、特に、ストリーミングの場合、Ｐ２Ｐ転送トポロジーで信頼性あるデータの転送を保障するという効果を有する。  
【発明を実施するための最良の形態】
【００１７】
以下、図面を参照して発明の一実施例を詳細に説明する。
図４は、本発明で提案するＤＬＰモード２でのデータ転送過程を各ステーション別に経時的に示す図である。本発明は、全体的に３つのＤＬＰモードで作動する。モード１は、現在８０２．１１ｅで提案されている方法であって、直接リンクを接続した後、ＢＳＳの他のステーションと競争して、一つのチャンネルを共有する方式である。ＤＬＰを使用するステーションのモード選択によって、独立チャンネルを使用する方式であるＤＬＰモード２とＤＬＰモード３が使用される。ＤＬＰモード２は、ＤＬＰを使用して直接リンクをした後、ＢＳＳの他のステーションと競争し、競争に負けた場合には、ＮＡＶ期間の間、待機するものでなく、ＤＬＰチャンネルを用いてＤＬＰステーションでの時間当たりの転送量を高め、仮りにＤＬＰステーションに転送するものでなく、ＢＳＳでの他のステーションと通信を行わなければならない場合には、主チャンネルを用いてＤＣＦルールによって通信を行う。他のステーション側でも、ＤＬＰステーションの主チャンネル使用の機会を低減して、ＢＳＳでステーションにより多くのチャンネル使用の機会を提供する。また、ＤＬＰステーションが競争に勝った場合には、主チャンネルを使用せずに、ＤＬＰチャンネルを介して通信を行い、他のステーションは、さらに競争し、ＤＣＦの基本競争アルゴリズムに従う。図４では、モード２を使用してチャンネル競争に勝った場合と負けた場合を示す。モード２の長所は、ＤＬＰステーションとＢＳＳの一般ステーション間の通信を提供し、ＤＬＰの長所とＢＳＳでの全体的なチャンネル効率を高めることができるということにある。
【００１８】
図５は、本発明で提案するＤＬＰモード３でのデータ転送過程を各ステーション別に経時的に示す図である。ＤＬＰモード３は、ストリーミングや最大の転送量が必要な場合に使用できる。直接リンクがセットアップされた後、主チャンネルとの通信を排除したまま、ＤＬＰチャンネルをＡＰから割り当てられ、独立したチャンネルを使用する。図示するように、ＤＬＰチャンネルを使用するために、ＤＬＰステーションは、ＤＬＰ開始フレームにＤＬＰモードとＡＰから割り当てられたＤＬＰチャンネルとをブロードキャストし、ＢＳＳ内のＡＰとステーションに他のチャンネルを使用することを知らせ、ＡＰは、ＤＬＰステーションをスリーピングステーション(Sleeping Station)として管理する。ＤＬＰを終了させ、ＢＳＳの主チャンネルに切り換える時には、チャンネルを切り換えた後、バックオフ(Back off)経過後チャンネルを獲得し、ＤＬＰ終了フレームに直接リンクが終了したことを知らせる。このようなモード３は、他のステーションとの通信を排除したまま、指定されたステーション間のストリーミングを行わなければならない場合のように、ＱｏＳが保障されるべきマルチメディア転送の場合に特に効果的である。
【００１９】
図６は、本発明で提案するＤＬＰフレームの構成を示す図である。この構成は、図３に示された従来のＤＬＰフレームの構成と比較すれば、ＤＬＰフレームの外形的全体構成においては同様である。ＭＡＣヘッダー部分は、フレームコントロール(Frame Control)、Ｄｕｒ／ＩＤ(Duration/ID)、ＤＡ(Destination Address)、ＳＡ(Source Address)、ＢＳＳＩＤ(Basic Service Set ID)及びＳｅｑ Ｃｔｒｌ(Sequence Control)フィールドで構成されている。次に、フレームボディ(Frame body)部分は、可変的な長さを有する部分であって、フレームカテゴリー(Category)及び変数(Variable)に関する情報を有している。前記カテゴリーには、後述する各種フレームの種類を示すコードが記録され、前記変数には、各種フレームが有するフィールド値が格納される。そして、ＦＣＳ(Frame Check Sequences)フィールドは、ＩＥＥＥ３２-ｂｉｔ ＣＲＣ情報を有している。
【００２０】
しかし、フレームボディに含まれるカテゴリーの種類及びそれぞれのＤＬＰフレームの構成フィールドにおいては、従来のものと差異がある。先ず、カテゴリーは、ＤＬＰ開始フレームを示す「ＤＬＰ開始」３１３と、ＤＬＰ終了フレームを示す「ＤＬＰ終了」３１４が追加されていることが分かる。前記ＤＬＰ開始フレームとＤＬＰ終了フレームの両方のフィールドフォーマットは同様である（３５０）。即ち、ＤＬＰ開始／終了フレーム３５０は、目的地ステーション（受信ステーション）のＭＡＣアドレス３５１、ソースステーション（送信ステーション）のＭＡＣアドレス３５２、本発明で提示した３つのモードのうちいずれかのモードを選択するかを決定するＤＬＰチャンネルモード３５３、及びＤＬＰ通信を行うチャンネルの番号３５４で構成されている。
ＤＬＰ探索フレーム３４０のフォーマットは、従来のものと同様である。このフレームは、直接リンク接続が良好に作動されるかを確認する役目をするが、必須的でなく選択的フレームである。
【００２１】
ＤＬＰ要求フレーム３２０は、送信ステーションが受信ステーションとデータを送受信する前に、直接リンクを要求するフレームであって、前記ＤＬＰ要求フレームがＡＰに送信すれば、前記ＡＰが受信ステーションにフォーワーディングするようになるフレームである。従来のＤＬＰ要求フレームに追加されたフィールドは、本発明で提示したモードのうち一つのモードを決定するチャンネルモードフィールド３２５と、直接リンクで通信を行うべきチャンネルを決定するチャンネル番号フィールド３２６と、及び前記チャンネルモードが２または３である場合、直接リンクで接続した状態をどれほど持続するかを決定する持続期間フィールド３２７とである。初めて送信ステーションがＡＰに前記ＤＬＰ要求フレームを送信する時には、使用可能なチャンネル番号を認知できないので、チャンネル番号は「ＮＵＬＬ」値に指定され、前記ＡＰが使用可能なチャンネルの番号を認知し、前記受信ステーションにＤＬＰ要求フレームをフォーワーディングする前に前記チャンネル番号フィールド３２６にチャンネル番号値を記録する。
【００２２】
ＤＬＰ応答フレーム３３０は、受信ステーションが前記ＤＬＰ要求フレームを受信し、ＤＬＰ直接リンクに合流するか否かを決定した後、前記ＡＰに送信すれば、前記ＡＰが前記送信ステーションにフォーワーディングするようになるフレームである。前記直接リンクに合流するか否かを決定した結果は、状態コードフィールド３３１に現れる。従来のＤＬＰ応答フレームに追加されたフィールドは、前記ＡＰがＤＬＰ要求フレームのチャンネル番号フィールド３２６に割り当てたチャンネル番号を有するチャンネル番号フィールド３３７がある。前記送信ステーションは、ＤＬＰ応答フレームのチャンネル番号フィールド３３７を見て、直接リンクで接続すべきチャンネル番号を認知するようになり、よって、両ステーションが共に一つのチャンネルを介して通信を行うことができるようになる。
【００２３】
図７は、本発明を具現するためのＤＬＰステーションの構成を示す図である。図示するように、ＤＬＰステーション７００は、ＭＡＣフレーム生成モジュール７１０、モード切換モジュール７２０、チャンネル切換モジュール７３０、及びＭＡＣフレーム送受信モジュール７４０で構成されることができる。
前記ＭＡＣフレーム生成モジュール７１０は、ＤＬＰ要求フレーム生成モジュール７１１、ＤＬＰ応答フレーム生成モジュール７１２、ＤＬＰ探索フレーム生成モジュール７１３、ＤＬＰ開始フレーム生成モジュール７１４、ＤＬＰ終了フレーム生成モジュール７１５及びＭＡＣデータフレーム生成モジュール７１６で構成されることができる。前記ＤＬＰ要求フレーム生成モジュール７１１は、図６に示すように、送信ステーションと受信ステーションのアドレス、容量情報、データ転送速度、拡張容量情報などを格納しているＤＬＰ要求フレーム３２０を生成する。また、前記ＤＬＰ応答フレーム生成モジュール７１２は、状態コード、送信ステーションと受信ステーションのアドレス、容量情報、データ転送速度、チャンネル番号、拡張容量情報などを格納しているＤＬＰ応答フレーム３３０を生成する。そして、前記ＤＬＰ探索フレーム生成モジュール７１３は、直接リンク接続が良好に作動するか否かを確認するためのＤＬＰ探索フレーム３４０を生成する。一方、前記ＤＬＰ開始フレーム生成モジュール７１４は、既存チャンネル競争に勝った後、受信ステーションがＤＬＰステーションである場合、送信ステーションと受信ステーションのアドレス、チャンネルモード、チャンネル番号をブロードキャストして、ＢＳＳに存在する他のステーションとＡＰとにＤＬＰを開始し、チャンネルモードによって他のチャンネルを使用することを知らせる役目をするＤＬＰ開始フレーム３５０を生成する。また、前記ＤＬＰ終了フレーム生成モジュール７１５は、ＤＬＰモード３である場合、ＤＬＰを使用する相手ステーション及び他の全てのステーションにＤＬＰを終了することを知らせる役目をするＤＬＰ終了フレーム３５０を生成する。そして、ＭＡＣデータフレーム生成モジュール７１６は、一般的なＭＡＣデータを格納しているデータフレームを生成する。
前記モード切換モジュール７２０は、本発明で提示したモードのうち一つのモードが選択されている時、前記モードとは異なるモードに切り換える場合、ＤＬＰ要求フレーム３２０のチャンネルモードフィールド３２５に所望のモード番号を記録することにより、前記モードを切り換える役目を担当する。
【００２４】
前記チャンネル切換モジュール７３０は、主チャンネルから、ＡＰにより直接リンク通信のために割り当てられたチャンネルに切り換えようとしたり、またはその反対の場合、新しいチャンネル番号をＤＬＰ要求フレーム３２０のチャンネル番号フィールド３２６に記録することにより、前記チャンネルを切り換える役目を担当する。
前記ＭＡＣフレーム送受信モジュール７４０は、ＤＬＰステーションにおいて前記ＤＬＰ要求フレーム３２０、ＤＬＰ応答フレーム３３０、ＤＬＰ探索フレーム３４０、ＤＬＰ開始フレーム３５０、及びＤＬＰ終了フレーム３５０を送受信する役目を担当する。
【００２５】
図８は、本発明を具現するためのアクセスポイントの構成を示す図である。図示するように、前記アクセスポイントは、チャンネルリスト管理モジュール８１０、チャンネル番号記録モジュール８２０、ポイントコーディネイタモジュール８３０及びＭＡＣフレーム送受信モジュール８４０で構成されることができる。
前記チャンネルリスト管理モジュール８１０は、周期的なチャンネル状況の分析により利用可能なチャンネルのリストを管理し分配する役目を担当する。チャンネルは、制限された資源なので、ＡＰでは無制限にチャンネルを分配できない。次の表は、ＡＰに存在する利用可能なチャンネルリストを示す例である。このように、前記チャンネルリスト管理モジュール８１０は、共有チャンネル（Primary Channel）を含むＢＳＳで使用しているチャンネルリストをチャンネル番号によって管理できる。ＡＰは、ＢＳＳで使用する共有チャンネルを除いてチャンネルリストで使用可能なチャンネルを信号強度(RSSI:Received Signal Strength Indication)によって雑音が少ない順に管理し分配する。
【００２６】
【表１】
2005020705.tif 000003
【００２７】
前記チャンネル番号記録モジュール８２０は、ＭＡＣフレーム送受信モジュール７４０を介してＤＬＰ要求フレームを受ければ、分配可能なＤＬＰチャンネルがあるか否かを確認した後、ＤＬＰ要求フレームに前記チャンネルを記録する役目を担当する。
前記ポイントコーディネイタモジュール８３０は、ＤＬＰステーションがモード３で他のＤＬＰチャンネルを使用する場合、ＤＬＰ開始フレームのブロードキャストがあった後には、ＤＬＰステーションをスリーピングステーションと見なし、ＤＬＰステーションに送るべきフレームがあれば、バッファリングし管理する。また、モード３での持続期間が終了し、ＤＬＰ終了フレームのブロードキャストがあれば、さらに前記スリーピングステーションも目覚めたもの(Awake)と見なして管理する。
【００２８】
ＭＡＣフレーム送受信モジュール８４０は、ＤＬＰ送信ステーションから受信したＤＬＰ要求フレームをＤＬＰ受信ステーションにフォーワーディングし、前記ＤＬＰ受信ステーションから受信したＤＬＰ応答フレームを前記ＤＬＰ送信ステーションにフォーワーディングする役目を行う。
【００２９】
図９は、本発明による方法を実行する過程を概略的に示すフローチャートである。まず、本発明で提示した改善された４ハンドシェイク過程を実行する（Ｓ９１０）。これにより、前記改善された４ハンドシェイク過程で決定されるＤＬＰチャンネルモードとチャンネル番号によってその次のステップが決定されるが、その値が１であればＤＬＰモード１が実行され（Ｓ９３０）、その値が２であればＤＬＰモード２が実行され（Ｓ９４０）、その値が３であればＤＬＰモード３が実行される（Ｓ９５０）。
【００３０】
図１０は、本発明で提案する改善された４ハンドシェイク過程を示す図である。まず、ＤＬＰ送信ステーションは、直接リンクを介してデータを送信しようとするステーションがあれば、ＤＬＰ要求フレームを構成した後、前記ＤＬＰ要求フレームをＡＰに送る（Ｓ１０１０）。ＡＰは、周期的に使用可能なチャンネルを検索して、リストを管理し、前記使用可能なチャンネルを分配する場合には、現在ＢＳＳで使用するチャンネル以外の使用可能なチャンネルを分配する。ＡＰは、前記ＤＬＰ要求フレームに前記使用可能なチャンネルのうち一つのチャンネル番号をＤＬＰ要求フレームのチャンネル番号フィールドに記録し、ＤＬＰ受信ステーションにＤＬＰ要求フレームをフォーワーディングする（Ｓ１０２０）。前記ＤＬＰ受信ステーションは、ＤＬＰ要求を受け入れるか否かを決定する（Ｓ１０３０）。次に、前記ＤＬＰ受信ステーションがＡＰに前記決定を含むＤＬＰ応答フレームを送る（Ｓ１０４０）。前記ＡＰは、前記ＤＬＰ応答フレームを前記ＤＬＰ送信ステーションにフォーワーディングする（Ｓ１０５０）。最後に、前記ＤＬＰ送信ステーションは、前記受信したＤＬＰ応答フレームを介してＤＬＰ応答の状態、すなわちＤＬＰ受信ステーションから直接リンクに対する拒絶があったか、承諾があったかを確認する（Ｓ１０６０）。
【００３１】
図１１は、モード１の過程を詳細に示すフローチャートである。ＤＬＰ送信ステーションがモード１であることをブロードキャストすれば、モード１の過程が始まるが、これは、直接リンクを接続した後、ＢＳＳの他のステーションと競争し、一つのチャンネルを共有する方式である。すなわちＤＬＰステーションと一般ステーションとを区分することなく、同等に従来のＣＳＭＡ／ＣＡ競争方式のデータ送受信過程に従う。但し、ＤＬＰ送信ステーションがチャンネル競争に勝った場合には、前記直接リンクを介してＤＬＰステーション間でデータ送受信がなされるようになる。
【００３２】
従って、全体ステーション間で競争を行い（Ｓ１１１０）、競争に勝った送信ステーションが受信ステーションにＲＴＳフレームを送る（Ｓ１１２０）。すると、残りのステーションは、ＮＡＶ値を設定し（Ｓ１１３０）、受信ステーションは、送信ステーションにＣＴＳフレームを送る（Ｓ１１４０）。送信ステーションは、受信ステーションにデータを送る（Ｓ１１５０）。受信ステーションが送信ステーションにＡＣＫフレームを送る（Ｓ１１６０）。所望のデータが全部転送されるまで前記過程を繰り返す（Ｓ１１７０）。
【００３３】
図１２は、モード２の過程を詳細に示すフローチャートである。ＤＬＰ送信ステーションがモード２であることをブロードキャストすれば、モード２の過程が始まる。以後、全体ステーションがチャンネル競争を行い、ＤＬＰステーションが主チャンネル競争に勝った場合と負けた場合とに分けられる。また、前記ＤＬＰステーションがチャンネル競争に勝った場合、受信ステーションが直接リンクで接続されたＤＬＰステーションであることができ、又は、直接リンクで接続されない一般のステーションであることもできる。従って、前記ＤＬＰステーションがチャンネル競争に勝った場合にも、受信ステーションがＤＬＰステーションであるか否かに分けられる。
【００３４】
第一の場合は、前記ＤＬＰステーションが主チャンネル競争に負けた場合には、先ず、チャンネル競争に勝った送信ステーションが受信ステーションにＲＴＳフレームを送れば（Ｓ１２４０）、ＤＬＰステーションを除いた残りのステーションは、ＮＡＶ値を設定するようになる（Ｓ１２４１）。前記ＮＡＶで設定された期間の間、ＤＬＰステーション間でＤＬＰチャンネルを用いて通信を行う（Ｓ１２４２）。そして、前記受信ステーションが前記送信ステーションにＣＴＳフレームを送る（Ｓ１２４３）。すると、前記送信ステーションは、前記受信ステーションにデータを送り（Ｓ１２４４）、前記受信ステーションが前記送信ステーションにＡＣＫフレームを送るようになる（Ｓ１２４５）。
【００３５】
第二の場合は、前記ＤＬＰステーションが主チャンネル競争に勝ち、受信ステーションがＤＬＰステーションである場合には、先ず、ＤＬＰ送信ステーションが、ＤＬＰ通信が始まっていることを他の全てのステーションに知らせるために、ＤＬＰ開始フレームをブロードキャストする（Ｓ１２５０）。すると、残りのステーションは、ＤＬＰステーションが通信のために予約した期間の間、ＮＡＶ値（以下、ＤＬＰ ＮＡＶという）を設定し、ＤＬＰで通信を行うことができないことを設定するようになり（Ｓ１２５１）、ＤＬＰステーション間でＤＬＰチャンネルを用いて通信を行うことができるようになる（Ｓ１２５２）。一方、未だ主チャンネルは、空いている状態であるから、前記残りのステーションは、残りのステーション間でチャンネル獲得のために競争を行うことができる（Ｓ１２５３）。前記チャンネル競争に勝った送信ステーションは、受信ステーションにＲＴＳフレームを送る（Ｓ１２５４）。すると、前記ＤＬＰ送受信ステーション及び前記チャンネル競争により成立した送受信ステーションを除いた残りのステーションは、ＮＡＶ値を設定する（Ｓ１２５５）。次に、前記受信ステーションが前記送信ステーションにＣＴＳフレームを送れば（Ｓ１２５６）、前記送信ステーションは、前記受信ステーションにデータを送る（Ｓ１２５７）。そして、前記受信ステーションが前記送信ステーションにＡＣＫフレームを送る（Ｓ１２５８）。前記ＤＬＰ ＮＡＶで設定された期間の間、前記ステップＳ１２５３からステップＳ１２５８までの過程を繰り返す（Ｓ１２５９）。
【００３６】
第三の場合は、前記ＤＬＰステーションが主チャンネル競争に勝ち、受信ステーションがＤＬＰステーションでない場合には、ＤＬＰステーションでなく、一般のステーションのチャンネル競争方式と同様である（Ｓ１２６０〜Ｓ１２６４）。
前記３つの場合の最後の過程で所望のデータが全部転送されたら、終了し、全部転送されていなければ、前記最初の全体ステーションがチャンネル獲得のために競争を行う過程からさらに繰り返すようになる（Ｓ１２７０）。
【００３７】
図１３は、モード３の過程を詳細に示すフローチャートである。ＤＬＰ送信ステーションがモード３であることをブロードキャストすれば、モード３の過程が始まる。まず、ＤＬＰ送信ステーションがＤＬＰの開始を知らせるＤＬＰ開始フレームをブロードキャストして、ＢＳＳ内のＡＰとステーションにＤＬＰステーションが他のチャンネルを使用していることを知らせる（Ｓ１３１０）。次に、ＤＬＰ要求フレームの持続期間フィールド（図６の３２６）に現れた持続期間の間、ＤＬＰステーション間でＤＬＰチャンネルを用いてデータを送受信する（Ｓ１３２０）。ＡＰは、ＤＬＰステーションをスリーピングステーションとして認識して管理し、ＤＬＰステーションは、独立した仮想ＢＳＳで作動する。従って、残りのステーションは、前記ＤＬＰステーションを認識できないので、残りのステーション間でチャンネル獲得のために競争を行うようになる（Ｓ１３３０）。前記チャンネル競争に勝った送信ステーションが受信ステーションにＲＴＳフレームを送る（Ｓ１３４０）。前記ＤＬＰ送受信ステーション及び前記チャンネル競争により成立した送受信ステーションを除いた残りのステーションは、ＮＡＶを設定する（Ｓ１３５０）。前記受信ステーションが前記送信ステーションにＣＴＳフレームを送る（Ｓ１３６０）。すると、前記送信ステーションは、前記受信ステーションにデータを送る（Ｓ１３７０）。次に、受信ステーションがＡＣＫフレームを送る（Ｓ１３８０）。前記持続期間フィールドに現れた持続期間が経過するまで前記過程を繰り返す（Ｓ１３９０）。前記持続期間が経過すれば、ＤＬＰ送信ステーションは、残りの全てのステーションにＤＬＰ通信過程が終了したことを知らせる終了フレームをブロードキャストする（Ｓ１３９９）。
【００３８】
本発明は、本発明の技術的思想から逸脱することなく、他の種々の形態で実施することができる。前述の実施例は、あくまでも、本発明の技術内容を明らかにするものであって、そのような具体例のみに限定して狭義に解釈されるべきものではなく、本発明の精神と特許請求の範囲内で、いろいろと変更して実施することができるものである。
【図面の簡単な説明】
【００３９】
【図１】一つのチャンネルを共有するＣＳＭＡ／ＣＡ方式のデータ転送過程を各ステーション別に経時的に示す図である。
【図２】従来のＤＬＰでの４ハンドシェイク過程を示す図である。
【図３】従来のＤＬＰフレームの構成を示す図である。
【図４】本発明で提案するＤＬＰモード２でのデータ転送過程を各ステーション別に経時的に示す図である。
【図５】本発明で提案するＤＬＰモード３でのデータ転送過程を各ステーション別に経時的に示す図である。
【図６】本発明で提案するＤＬＰフレームの構成を示す図である。
【図７】本発明を具現するためのＤＬＰステーションの構成を示す図である。
【図８】本発明を具現するためのアクセスポイントの構成を示す図である。
【図９】本発明による方法を実行するステップを全体的に示すフローチャートである。
【図１０】本発明で提案する改善された４ハンドシェイク過程を示す図である。
【図１１】モード１の過程を詳細に示すフローチャートである。
【図１２】モード２の過程を詳細に示すフローチャートである。
【図１３】モード３の過程を詳細に示すフローチャートである。
【符号の説明】
【００４０】
７００  ＤＬＰステーション
７１０  ＭＡＣフレーム生成モジュール
７１１  ＤＬＰ要求フレーム生成モジュール
７１２  ＤＬＰ応答フレーム生成モジュール
７１３  ＤＬＰ探索フレーム生成モジュール
７１４  ＤＬＰ開始フレーム生成モジュール
７１５  ＤＬＰ終了フレーム生成モジュール
７１６  ＭＡＣデータフレーム生成モジュール
７２０  モード切換モジュール
７３０  チャンネル切換モジュール
７４０  ＭＡＣフレーム送受信モジュール
８００  アクセスポイント
８１０  チャンネルリスト管理モジュール
８２０  チャンネル番号入力モジュール
８３０  ポイントコーディネイタモジュール
８４０  ＭＡＣフレーム送受信モジュール
【図１】
2005020705.tif 000004
【図２】
2005020705.tif 000005
【図３】
2005020705.tif 000006
【図４】
2005020705.tif 000007
【図５】
2005020705.tif 000008
【図６】
2005020705.tif 000009
【図７】
2005020705.tif 000010
【図８】
2005020705.tif 000011
【図９】
2005020705.tif 000012
【図１０】
2005020705.tif 000013
【図１１】
2005020705.tif 000014
【図１２】
2005020705.tif 000015
【図１３】
2005020705.tif 000016